(57)【要約】【課題】少ない光源で立体的な装飾効果を得ることのできる光装飾装置を提供する。【解決手段】凹状（半半球状）の反射面３２で囲まれた空間の中に、光を透過する透過部材（図示省略、たとえばダイヤモンドのブリリアントカット形状の透明ガラス）を配置する。発光素子５２は装飾体４０の下方から透過部材および反射面３２に向けて光７１を照射する。透光部（穴）を通して反射面３２の背後から反射面３２の内側空間に向けて光を照射する。発光素子６３は、反射面３２は光を様々な方向に乱反射し、反射面３２の内側空間を明るく照らして光の空間７２を形成する。透過部材は、様々な方向から到来する光をその入射角に応じて反射、屈折、分光し、全体として「きらきら」と輝く。さらに、発光素子５２からの光束と発光素子６３からの光束とが交差する交差領域では、加法混色により色が変化し、色数が増えて装飾効果が高まる。【選択図】図４
2006043041.tif 000002
【特許請求の範囲】
【請求項１】
遊技機に設けられる光装飾装置であって、
凹状の反射面と、
前記反射面に向けて発光する光源と
を有する
ことを特徴とする光装飾装置。
【請求項２】
前記反射面を多面構成にした
ことを特徴とする請求項１に記載の光装飾装置。
【請求項３】
前記光源からの直接光と前記反射面で反射した反射光とが交差する領域に、光が透過可能な透過部材を配置した
ことを特徴とする請求項１または２に記載の光装飾装置。
【請求項４】
前記反射面が、半半球状の内壁面である
ことを特徴とする請求項１、２または３に記載の光装飾装置。
【請求項５】
前記光源として、発光色が異なる複数の光源を設けた
ことを特徴とする請求項１、２、３または４に記載の光装飾装置。
【請求項６】
第１光源と第２光源とを設け、
第１光源の光束と第２光源の光束とが交差するようにこれらの光源を配置した
ことを特徴とする請求項１、２、３、４または５に記載の光装飾装置。
【請求項７】
前記第１光源の発光色と前記第２光源の発光色とが異なる
ことを特徴とする請求項６に記載の光装飾装置。
【請求項８】
前記第１光源を前記反射面に向けて発光するように配置し、
前記反射面に光を通す透光部を設け、
前記第２光源を前記反射面の背面側から前記透光部を臨むように配置した
ことを特徴とする請求項６または７に記載の光装飾装置。
【請求項９】
第１光源の光束と第２光源の光束とが交差する領域に、光が透過可能な透過部材を配置した
ことを特徴とする請求項６、７または８に記載の光装飾装置。
【請求項１０】
前記透過部材が多面体である
ことを特徴とする請求項３または９に記載の光装飾装置。
【請求項１１】
前記透過部材がレンズ状である
ことを特徴とする請求項３または９に記載の光装飾装置。
【請求項１２】
前記透過部材を複数設けた
ことを特徴とする請求項３、９、１０または１１に記載の光装飾装置。
【請求項１３】
請求項１、２、３、４、５、６、７、８、９、１０、１１または１２に記載の光装飾装置を前面に有する
ことを特徴とする遊技機。
【発明の詳細な説明】
【技術分野】
【０００１】
本発明は、光を利用して装飾効果を生み出す光装飾装置に係わり、特にパチンコ機などの遊技機に取り付けられる光装飾装置に関する。
【背景技術】
【０００２】
パチンコ機などの遊技機は、ランプやＬＥＤ（Light Emitting Diode）を用いて各種の演出や装飾を行なうための光装飾装置を備えている。このような光装飾装置では、目的の装飾効果を効率良く得るために反射板を用いた様々な工夫がなされている。
【０００３】
たとえば、光源の周囲に各種の反射板を配置することで、実際より多くの光源が存在するように視認される光装飾装置がある（たとえば、特許文献１参照。）。
【０００４】
また、光源を覆う保護カバーの前面と側面とが共に光るようにするために、隆起した反射部材の頂部に光源を設け、光源から出て保護カバーの裏面で反射した光が、前記隆起した反射部の斜面でさらに反射して側方に射出し得るように、光源と保護カバーとの間に必要な隙間を形成した光装飾装置が提案されている（たとえば、特許文献２参照。）。
【０００５】
【特許文献１】特開２００４−２４３６６号公報
【特許文献２】特開２００４−６５４８４号公報
【発明の開示】
【発明が解決しようとする課題】
【０００６】
従来の光装飾装置は、光源の数より多くの発光箇所で発光するように見せかけたり、少ない光源で広範囲を光らせたりするための工夫がなされているに過ぎず、いずれも、光装飾装置の表面（保護カバーなど）が面発光するものであり、平面的な装飾効果しか得ることができなかった。また、光の色は、光源の発光色や保護カバーの色に依存し、多様な色の演出を楽しめるものではなかった。
【０００７】
本発明は、上記の問題を解決しようとする課題にするものであり、光で空間を演出して立体的で色彩豊かな装飾効果を得ることのできる光装飾装置を提供することを目的とするものである。
【課題を解決するための手段】
【０００８】
請求項１に係わる発明は、遊技機に設けられる光装飾装置であって、
凹状の反射面（３２）と、
前記反射面（３２）に向けて発光する光源（５２）と
を有する
ことを特徴とする光装飾装置である。
【０００９】
上記発明によれば、反射面（３２）が凹状をなしているので、光源（５２）からの光が凹状の反射面（３２）で囲まれた空間内に向けて反射される。その結果、少ない光源（５２）でも、凹状の反射面（３２）で囲まれた空間が広い範囲で明るく照らし出される。光源（５２）は、凹状の反射面（３２）の前方から、好ましくは反射面（３２）で囲まれた空間の内側・中心付近から、より好ましくは反射面（３２）の曲率中心付近から反射面（３２）に向けて光を照射する。光源（５２）は、単数でも複数でもよい。
【００１０】
凹状の反射面（３２）は、全体として凹んだ形状であればよく、中空の球面（球殻）の一部、たとえば球殻の半分の形状、さらにそれを半分にした形状、矩形やその他の形に窪んだに形状などでよく、反射面（３２）の内側、中心などに配置された光源（５２）から到来した光を反射面（３２）が囲む空間の内側へ反射させる形状であればよい。
【００１１】
請求項２に係わる発明は、前記反射面（３２）を多面構成にした
ことを特徴とする請求項１に記載の光装飾装置である。
【００１２】
上記発明によれば、光源（５２）からの光が多面構成された反射面（３２）の各面（３３）で様々な方向に反射され、凹状の反射面（３２）で囲まれた空間が広い範囲で明るく照らし出される。全体として凹状の反射面（３２）をなしていれば、多面構成の各面（３３）は平面、凹面、凸面、その他微細な凹凸やしわのある不規則な形状でよく、各面の形、大きさ、角度などは不揃いでもよく、要するに光を乱反射する構成であればよい。たとえば、ミラーボールのように多数の小さな鏡面の集合で反射面（３２）（ミラーボールでは外壁面であるところを内壁面として）は構成される。
【００１３】
請求項３に係わる発明は、前記光源（５２）からの直接光（７１）と前記反射面（３２）で反射した反射光（７２）とが交差する領域に、光が透過可能な透過部材（４０、４１、７５）を配置した
ことを特徴とする請求項１または２に記載の光装飾装置である。
【００１４】
上記発明によれば、光源（５２）からの直接光（７１）と反射面（３２）からの反射光（７２）とが共に透過部材（４０、４１、７５）に当たり、様々な角度からの光で透過部材（４０、４１、７５）が照明される。透過部材（４０、４１、７５）に到達した光はその入射角により屈折したり、反射したり、プリズム効果で分光したりする。
【００１５】
また、透過部材（４０、４１、７５）が反射面（３２）で囲まれた空間内にあるため、たとえば、白で発光した場合は反射面（３２）に白の光が当たり、前記空間内の領域が明るくなる。その白の光が透過部材（４０、４１、７５）に当たると上記の現象（屈折、反射、分光）を引き起こすため、明るい中にさらに明るく輝く光点や異なる色の光点ができ、「キラキラ」と輝いて光り、高級感やゴージャス感が生み出される。
【００１６】
さらに、透過部材（４０、４１、７５）が反射面（３２）に映り、その数が増加したように見え、少ない数の透過部材（４０、４１、７５）で豊かな装飾効果が発揮される。透過部材（４０、４１、７５）は、無色透明、有色透明のいずれでもよい。
【００１７】
請求項４に係わる発明は、前記反射面（３２）が、半半球状の内壁面である
ことを特徴とする請求項１、２または３に記載の光装飾装置である。
【００１８】
上記発明によれば、反射面（３２）が、半半球状の内壁面である。すなわち、球殻を、その中心を通る直交した２平面で均等に４分割した形状をなしている。この形状では、一方の分割平面の部分に基板を配置してこれに光源（５２）を取り付けることができ、他方の分割平面の部分を遊技者側に向けて配置し、凹状の反射面（３２）が形成する光の空間を遊技者に見せることができる。
【００１９】
また、半半球状は、いわばドーム状であり、鏡（反射面（３２））でドームを形成しているため、万華鏡や合わせ鏡と同じ現象が生じ、奥行きが出たり、像が増えたりするように見える。たとえば、半半球状の反射面（３２）で囲まれた明るい空間にシャンデリア風の透過部材（４０）を１つだけ設けた場合でも、この1つしかないシャンデリア風の透過部材（４０）が複数に見え、また奥行きが生まれるので、ゴージャス感や高級感を観察者に与える。
【００２０】
請求項５に係わる発明は、前記光源（５２）として、発光色が異なる複数の光源（５２ａ、５２ｂ、５２ｃ）を設けた
ことを特徴とする請求項１、２、３または４に記載の光装飾装置である。
【００２１】
上記発明によれば、発光色が異なる複数の光源（５２ａ、５２ｂ、５２ｃ）により、より豊かな光の演出が可能になる。複数の光源（５２ａ、５２ｂ、５２ｃ）は同時点灯あるいは切替点灯される。
【００２２】
請求項６に係わる発明は、第１光源（５２）と第２光源（６３）とを設け、
第１光源（５２）の光束と第２光源（６３）の光束とが交差するようにこれらの光源を配置した
ことを特徴とする請求項１、２、３、４または５に記載の光装飾装置である。
【００２３】
上記発明によれば、第１光源（５２）の光束と第２光源（６３）の光束とが交差するようにこれらの光源が配置される。交差する部分では、加法混色および輝度の増加が生じ、交差する部分と交差しない部分とで光束の色や明るさが変化する。第１光源（５２）、第２光源（６３）は、請求項１に記載の光源（５２）でも、別途設けた光源でもよい。凹状の反射面（３２）が囲む空間の中に、第１光源（５２）の光束と第２光源（６３）の光束とが交差する領域（６６）が位置するようにするとよい。
【００２４】
請求項７に係わる発明は、前記第１光源（５２）の発光色と前記第２光源（６３）の発光色とが異なる
ことを特徴とする請求項６に記載の光装飾装置である。
【００２５】
上記発明によれば、交差する部分で加法混色が生じ、光源（５２）の色と異なる色の光による装飾効果を得ることができる。
【００２６】
請求項８に係わる発明は、前記第１光源（５２）を前記反射面（３２）に向けて発光するように配置し、
前記反射面（３２）に光を通す透光部（３８）を設け、
前記第２光源（６３）を前記反射面（３２）の背面側から前記透光部（３８）を臨むように配置した
ことを特徴とする請求項６または７に記載の光装飾装置である。
【００２７】
上記発明によれば、第１光源（５２）は反射面（３２）の前方から反射面（３２）に光を照射し、第２光源（６３）は反射面（３２）の背後から第１光源（５２）の光束に向けて光を照射する。透光部（３８）は、光が通過できればよく、反射面（３２）に穴を開けるほか、透明な部材で構成してもよい。
【００２８】
請求項９に係わる発明は、第１光源（５２）の光束と第２光源（６３）の光束とが交差する領域（６６）に、光が透過可能な透過部材（４０、４１、７５）を配置した
ことを特徴とする請求項６、７または８に記載の光装飾装置である。
【００２９】
上記発明によれば、透過部材（４０、４１、７５）に第１光源（５２）からの光と第２光源（６３）からの光とが異なる方向から照射される。透過部材（４０、４１、７５）に到達した光は入射角に応じて反射、屈折、プリズム効果を生じる。また、透過部材（４０、４１、７５）が光の交差する場所にあるので、他の方向から到来した光と混ざり合う。さらに、プリズム効果で分光された光同士が混ざり合い新たな色が作り出される。透明部材は、無色透明、有色透明のいずれでもよい。
【００３０】
請求項１０に係わる発明は、前記透過部材（４１、７５）が多面体である
ことを特徴とする請求項３または９に記載の光装飾装置である。
【００３１】
上記発明によれば、透明部材への光の入射角が各面で相違し、反射、屈折、プリズム効果の生じ方が多様になる。多面体は４面以上であればよく、ダイヤモンドのラウンドブリリアントカットのように多数の面で構成されてもよい。
【００３２】
請求項１１に係わる発明は、前記透過部材（４１、７５）がレンズ状である
ことを特徴とする請求項３または９に記載の光装飾装置である。
【００３３】
上記発明によれば、レンズ状の透明部材を通過する際に、光が集光あるいは拡散される。レンズを通して反射面（３２）や他の透過部材（４１、７５）が遊技者に観察される。レンズ面を多面構成してもよい。たとえば、小さいレンズ面の集合体として透過部材を構成してもよい。また、レンズ状の箇所を一部に含めば、レンズ面と平面との組み合わせでもよい。
【００３４】
請求項１２に係わる発明は、前記透過部材（４１）を複数設けた
ことを特徴とする請求項３、９、１０または１１に記載の光装飾装置である。
【００３５】
上記発明によれば、複数の透過部材（４１）のそれぞれで光の屈折、反射、分光が生じることに加え、透過部材（４１）同士の間でも光が反射し合う。
【００３６】
請求項１３に係わる発明は、請求項１、２、３、４、５、６、７、８、９、１０、１１または１２に記載の光装飾装置を前面に有する
ことを特徴とする遊技機である。
【００３７】
上記発明によれば、光装飾装置は、遊技盤や前面枠など遊技機の前面に設けられる。反射面（３２）は遊技機の前方を臨むように配置される。遊技球が移動する遊技領域内に光装飾装置を設け、透過部材（４１）を吊り下げるなどにより揺動可能に支持しておけば、光装飾装置やその取り付け枠に遊技球が衝突することで透過部材（４１）が揺動し、装飾効果に変化を与えることが可能になる。
【発明の効果】
【００３８】
本発明に係わる光装飾装置およびこれを含む遊技機によれば、光源から凹状の反射面に向けて発光するので、光源からの光が凹状の反射面で囲まれた空間内に向けて反射され、少ない光源でも凹状の反射面で囲まれた空間を広い範囲で明るく照らし出すことができる。
【００３９】
凹状の反射面を多面構成にしたものでは、光源からの光が多面構成された反射面の各面で様々な方向に反射され、凹状の反射面で囲まれた空間がより広い範囲で明るく照らし出される。
【００４０】
光源からの直接光と前記反射面で反射した反射光とが交差する領域に、光が透過可能な透過部材を配置したものでは、様々な角度から到来する光が透過部材で屈折、反射、分光し、光による多様で複雑な装飾効果が生じ、高級感やゴージャス感を生み出すことができる。また反射面に映って透過部材の数が増えたように見え、少ない数の透過部材で豊かな装飾効果が発揮される。
【００４１】
反射面を半半球状の内壁面としたものでは、反射面が万華鏡や合わせ鏡と同じ効果が生じ、透過部材が実際より多く見えたり、奥行きが生まれたりして、ゴージャス感や高級感を遊技者に与えることができる。
【００４２】
発光色が異なる複数の光源を設けたものでは、より豊かな光の演出が可能になる。
【００４３】
第１光源と第２光源とをこれらの光束が交差するように配置したものでは、光束の交差する箇所で、加法混色や輝度の増加が生じ、交差部分と非交差部分とで光の色や明るさに変化が生まれ、装飾効果が高まる。
【００４４】
第１光源を反射面に向けて発光するように配置し、反射面に光を通す透光部を設け、第２光源を反射面の背面側から透光部を臨むように配置したものでは、第１光源と第２光源とを異なる箇所に配置したので、これらの光束の交差角度を大きく（たとえば、９０度）でき、交差領域をスポット的に作ることも可能になる。また第２光源を反射面の背面側に取り付けるので、第２光源の取り付け基板が反射面を塞いで反射面積を少なくすることや装飾の障害になることが防止される。
【００４５】
第１光源の光束と第２光源の光束とが交差する領域に、光が透過可能な透過部材を配置したものでは、透過部材を通過する光が入射角に応じて反射、屈折、プリズム効果で分光し、透過部材の所々に光点やプリズム効果で生じた色が醸し出される。また、透過部材が光の交差する場所にあるので、他の方向から到来した光と混ざり合い、より複雑な装飾効果が生み出される。さらに、プリズム効果で分光された光同士が混ざり合うことで新たな色が作り出される。
【００４６】
透過部材を多面体にしたものでは、透明部材への光の入射角が各面で相違し、反射、屈折、プリズム効果の生じ方が多様になり、複雑な光の装飾効果を得ることができる。透過部材をレンズ状にしたものでは、透明部材を通過する際に光が集光・拡散され、レンズを通して反射面や他の透明部材が遊技者に観察される。
【００４７】
透過部材を複数設けたものでは、複数の透過部材のそれぞれで光の屈折、反射、分光が生じることに加え、透明部材同士の間でも光が反射し合い、豊かで複雑な装飾効果が生じる。
【発明を実施するための最良の形態】
【００４８】
以下、図面に基づき本発明の実施の形態を説明する。
【００４９】
図１は、本発明の実施の形態に係わる遊技機１０を示す正面図である。遊技機１０は、一般にパチンコ機と称される装置であり、遊技者の発射操作により球が打ち出されることで遊技が進行する遊技機本体１０ａと、これに付設され、有価価値カードの挿入により球を貸し出すカードユニット（ＣＲ球貸機）１０ｂとから構成されている。
【００５０】
遊技機本体１０ａは、遊技者の発射操作によって打ち出された球が移動しながら落下する遊技領域としての遊技盤１１を有している。遊技盤１１の下方には、貸出球や払出球を貯留する上受け皿１２が設置され、さらにその下方には上受け皿１２から溢れた球を貯留する下受け皿１３が設置されている。下受け皿１３の右横には、球の発射操作を行なうためのハンドル１４が設けてある。
【００５１】
遊技盤１１には、落下する球の流れに変化を与えるための釘（図示省略）、センターケース１５、始動口１６、大入賞口１７、普通図柄作動ゲート１８、装飾ランプ１９、普通図柄表示装置２１等が設けてある。センターケース１５の上部には、光装飾装置３０が設けてあり、センターケース１５の枠内には可変表示装置２０が配置されている。遊技盤１１の最下部には、いずれの入賞口にも入らず落下してきた球を機外に排出するためのアウト口２２が設置されている。
【００５２】
始動口１６は、一般に始動チャッカーと称されるものであり、始動口１６へ球が入賞することにより可変表示装置２０で実行される可変表示（可変表示遊技または特別図柄遊技とも称される）の実行権が確保される。
【００５３】
始動口１６は、その入賞口の左右両端に一対の可動片を備えた、いわゆる電動チューリップ役物として構成されている。これらの可動片は、図示省略のソレノイドにより、球の入賞し難い閉状態と球の入賞し易い開状態とに開閉される。始動口１６の可動片は通常は閉状態にあり、普通図柄表示装置２１で当たりが出た場合などに開状態にされる。
【００５４】
普通図柄作動ゲート１８は通過口として構成されており、ここを球が通過することで、普通図柄表示装置２１で実行される可変表示（普通図柄遊技とも称される）の実行権が確保される。普通図柄表示装置２１は、左右に設けた２灯のＬＥＤで構成され、一方は「当たり」に、他方は「外れ」に割り当てられている。これら２灯のＬＥＤが交互点灯することが普通図柄表示装置２１での可変表示であり、「当たり」のＬＥＤが点灯した状態で交互点灯が停止すると、当たりが確定する。
【００５５】
可変表示装置２０は、液晶ディスプレイなどの表示装置で構成される。可変表示装置２０には、ＣＲＴ表示器、ドラムユニット、ＬＥＤ、有機ＥＬディスプレイ等を採用することも可能である。
【００５６】
可変表示装置２０で実行される可変表示は、表示領域上で識別情報（図柄）がスクロール変動し、このスクロール変動が停止して最終的に確定表示された図柄の組み合わせ（表示結果）が、予め定めた特定の組み合わせ（特定表示態様）の場合に「当たり」になる表示遊技である。たとえば、「０」〜「９」の中の任意の数字を表わした図柄が３つの表示部で可変表示され、特定表示態様として、いわゆるスロットル遊技のように「７７７」など同一数字が揃う表示結果が確定すると当たりになる表示遊技を実行するようになっている。可変表示の表示結果が特定表示態様に確定すると、所定の遊技価値を遊技者に付与可能な特定遊技状態が発生する。
【００５７】
大入賞口１７は、特定遊技状態を生成するための入賞口であり、一般にアタッカーと称される。大入賞口１７は、ソレノイド等で駆動され、その入賞口が球の入賞しない閉状態と入賞容易な開状態とに変化するように構成されている。
【００５８】
可変表示装置２０で実行された可変表示の表示結果が特定表示態様に確定すると、大入賞口１７が所定回数開閉されて特定遊技状態が形成され、大当たり遊技が実行される。大入賞口１７は所定時間または所定入賞数を限度に開いて閉じる動作を行ない、その繰り返し動作を所定回数行なう。
【００５９】
図２は、センターケース１５の上部に設けられた光装飾装置３０の分解斜視図である。光装飾装置３０は、凹状の反射面を備えた反射ドーム部３１と、透過部材を備えた装飾体４０と、光源が取り付けられた第１光源部５０および第２光源部６０とから構成される。
【００６０】
反射ドーム部３１は、中空の球面（球殻）を、その中心を通る直交した２平面で４等分した中の１つの形状（半半球状）をなし、内壁面が光の反射面３２になっている。この反射面３２は、多面構成になっており、ミラーボールのように多数の小さな反射面３３の集合（ミラーボールでは外壁面であるところを内壁面として）で構成されている。
【００６１】
反射ドーム部３１は、半半球状をなす反射面３２の一方の円弧状端面３４が遊技機本体１０ａの前方を臨み、かつ他方の円弧状端面３５が下方を臨む状態で、円弧状端面３４の周囲数箇所に設けた取り付け穴３６に挿入される図示省略の螺子によりセンターケース１５に取り付けられる。
【００６２】
装飾体４０は、フレーム４２に多数の透過部材４１を揺動可能に吊り下げたシャンデリア風の構成になっている。透過部材４１は、透明な樹脂またはガラスで構成され、レンズ状、多面体形状、扁平球状などの形をなしている。たとえば、多面体形状としてはダイヤモンドで知られるラウンドブリリアントカット形状、扁平球状としては涙型などがある。透過部材４１は、光を透過する部材であれば、その形状は問わず、キャラクタの形状などでもよい。透過部材４１は、プリズム効果（分光）を生じ易い形状が好ましく、透過率、屈折率の高い材質がよい。
【００６３】
装飾体４０は、フレーム４２の上端の接合部４３で反射ドーム部３１の受け部３７に取り付けられる。装飾体４０は、前端の一部を除いて、ほぼ全体が反射ドーム部３１の反射面３２が囲む空間の中に位置する。
【００６４】
第１光源部５０は、配線基板５１と、この配線基板５１に取り付けられた複数の発光素子５２と、コネクタ５３とから構成される。第１光源部５０は、装飾体４０の下部に取り付けられる。第１光源部５０の発光素子５２は、装飾体４０をその下方から照明するとともに、装飾体４０の脇や隙間を通って光を反射ドーム部３１の反射面３２に向けて照射する。すなわち、反射面３２が囲む空間の内側・中心付近から反射面３２に向けて光を照射する。発光素子５２には、赤色ＬＥＤ、緑色ＬＥＤ、青色ＬＥＤなどが使用される。
【００６５】
第２光源部６０は、反射ドーム部３１の反射面３２の背面側に取り付けられる。第２光源部６０は、枠６１と、この枠６１に収めた配線基板６２と、配線基板６２に取り付けられた複数の発光素子６３と、コネクタ６４とから構成される。発光素子６３には、赤色ＬＥＤ、緑色ＬＥＤ、青色ＬＥＤなどが使用される。
【００６６】
図３に示すように反射ドーム部３１の反射面３２には、透光部３８として丸穴３８ａと角穴３８ｂとが開設されている。第２光源部６０の発光素子６３は、反射面３２の背面側から透光部３８を臨むように配置されている。透光部３８は、第２光源部６０の発光素子６３からの光を反射面３２の内側の空間へと通過させる機能を果たす。なお、角穴３８ｂはコネクタ５３への接続ケーブルを通す機能なども果たす。
【００６７】
第２光源部６０の発光素子６３からの光は透光部３８を通過して装飾体４０をその背後から照明する。第１光源部５０の発光素子５２が発光した上方に向かう光束と、第２光源部６０の発光素子６３が発光した前方に向かう光束とは、ほぼ直交するように設定されている。
【００６８】
第１光源部５０の発光素子５２および第２光源部６０の発光素子６３は、図示省略の制御基板から駆動電源が供給されて点灯が制御される。
【００６９】
図４および図５は、反射ドーム部３１の反射面３２で囲まれた空間内における光の状態を模式的に示したものである。図４は、反射面３２を正面から見た光の状態を、図５は図４のＡ−Ａ断面から見た光の状態をそれぞれ示している。図６は、図４の第１光源部５０の配線基板５１における発光素子５２の配列を例示している。図６に示す第１光源部５０の配線基板５１では、直線上に近接配置した青色ＬＥＤ５２ａと緑色ＬＥＤ５２ｂと赤色ＬＥＤ５２ｃとを一組としたものを、右と中央と左とに分けて３組設けてある。
【００７０】
図４に示すように、半半球状の中心部付近の発光素子５２から反射面３２に向けて射出された直接光７１は図中の斜線で示す領域を通って反射面３２に到達した後、形状、角度が異なる反射面３２で様々な方向に乱反射される。これにより、反射面３２が囲む空間（反射面３２の内側空間）には、図４および図５に示すような、乱反射された光の空間７２が形成される。なお、これらの図では説明の便宜上、直接光７１や乱反射された光の空間７２の明暗を明確に描いてある。実際には、乱反射された光の空間７２は反射面３２の内側のほぼ空間全体に広がる。
【００７１】
反射ドーム部３１の反射面３２に設けた透光部３８の背後の発光素子６３を点灯すると、その光が第１光源部５０の発光素子５２からの光や乱反射している光と交差し、交差している部分の色が加法混色により変化する。
【００７２】
図７は、反射ドーム部３１の反射面３２が囲む空間の中に透過部材７５を配置した際の光の状態を例示したものである。図７では、ウサギのキャラクタ形状の透過部材７５を配置してある。透過部材７５は、反射面３２で乱反射された光と、発光素子５２や発光素子６３からの直接光とが交差する場所、言い換えると半半球状の反射面３２の内側、に設けられている。
【００７３】
透過部材７５は、多数の曲面や平面を組み合わせた形状をなしており、その異なった複数面で構成される透過部材７５に発光素子５２、６３からの直接光や乱反射された光が当たる。複数面で構成された透過部材７５の１つの面について考察すると、その面には、直接光や乱反射した光が様々な方向から到来し、入射角に応じて、ある光は反射し、ある光は屈折しながら透過部材７５を通過し、またある光は屈折しながら透過部材７５を通過する際にプリズム現象（分光）を引き起こす。これにより、１つの光源が発光した光から色の異なる複数の光を引き出すことも可能になる。
【００７４】
また、透過部材７５が半半球状（凹状）の反射面３２の内側にあるため、たとえば、白で発光した場合は反射面３２に白の光が当たり、反射面３２の内側の領域が明るくなる。その白の光が透過部材７５に当たることで上記した現象を引き起こすため、明るい中にさらに明るく輝く光点や異なる色の光点ができ、「キラキラ」と輝いて光るようになる。これにより、可変表示装置２０に表示される可変表示遊技の結果に応じて装飾ランプ１９を点滅させるなどの演出とは別に、遊技機１０に高級感やゴージャス感を与える装飾効果が発揮される。
【００７５】
さらに、反射面３２がドーム状をなしているので、万華鏡や合わせ鏡と同じ現象が生じ、奥行きが出たり、透過部材７５の数が実際より増えて見えたりする。図７の例では、反射面３２で囲まれた明るい空間にウサギのキャラクタ形状の透過部材７５を１つだけ設けることで、この１つしかない透過部材７５が複数に見え、かつ奥行きが生まれ、ゴージャス感や高級感を観察者（遊技者）に与える。上記の現象・効果は、シャンデリア風の装飾体４０においても同様に生じる。
【００７６】
図８、図９は、第１光源部５０の配線基板５１に取り付けた発光素子５２からの光束と第２光源部６０の配線基板６２に取り付けた発光素子６３からの光束とが交差している状況を簡略化して示したものである。図８は、側方から見た様子を、図９は、前方から見た様子を示している。第１光源部５０の配線基板５１と第２光源部６０の配線基板６２とはＬ字状に組み合わせてある。これらはＴ字状に組み合わせてもよい。
【００７７】
水平に配置された配線基板５１に取り付けられた発光素子５２は、上方に向かう第１光束５５を発光する。垂直に配置された配線基板６２に取り付けられた発光素子６３は、前方に向かう第２光束６５を発光する。第１光束５５、第２光束６５はそれぞれ指向性を有する光束であり、光束同士が交差（ここでは、直交）するように配置されている。第１光束５５と第２光束６５とが交差する交差領域６６では、加法混色により色が変化する。たとえば、赤の光に緑の光を加えると、加法混色により光は黄色になる。
【００７８】
カラーＬＥＤを使えば黄色の光を作りだすことは可能だが、ＬＥＤから射出される光が一色のみとなり、光り方も光の照射範囲内でほぼ均等になってしまう。これに対し、図８、図９に示すように第１光束５５と第２光束６５とを交差させると、交差領域６６だけで加法混色が生じて光の色が変化する。例えば、第１光束５５によって赤くなっている領域にスポット的に緑の第２光束６５を交差させると、赤い空間にスポット的に黄色の交差領域６６が出現することになる。
【００７９】
発光素子５２や発光素子６３の発光色は、上記の例に限定されない。白色と任意の有彩色、任意の有彩色と他の有彩色などの組み合わせがある。
【００８０】
ブラウン管などに代表されるモニタ装置では、光の三原色を構成する各色の発光素子の配置密度を上げることで、１つの光源のように正確な色を発光するようになっている。これに対して、本実施の形態では、あえて発光素子の間隔を広げ、各発光素子からある程度離れた空間で加法混色が行なわれるようになっている。これによりカラーＬＥＤでは発光できない色彩を出すことが出来る。すなわち、発光素子には発光ムラがあるため、光同士が重なり合う場所毎にわずかに色や明るさの違いが生じ、１つの発光素子では不可能な光の空間が形成される。
【００８１】
光の交差領域６６に、クリスタルなどの透過部材で製作されたキャラクタなどを設けることで、透過部材を通過する光が入射角に応じて反射、屈折、プリズム効果を生じ、透過部材の所々に光点やプリズム効果に生じた色を醸し出す。さらに透過部材が光の交差領域６６にあるので、異なる方向から到来した光同士が混ざり合うとともに、プリズム効果で分光された光同士が混ざり合うことで新たな色を作りだす。このような現象が複雑に絡み合うことで、光による豊かな装飾効果が発揮される。
【００８２】
図１０および図１１は、光源の他の配置例を示している。図１０は、第１光源８１の光束８２と、第２光源８３の光束８４との交差角度が９０度以下の場合を示している。図１１は、第１光源８１と第２光源８３とを同一基板に配置した例を示している。図１１では、光軸が交差する様子を示している。光束はある程度広がりを持っているので、光軸同士が平行でも光束の交差は生じ得るが、光軸を交差させることで、より的確に光束の交差が確保される。したがって、各図で説明した光束の交差は、光軸の交差であることが好ましい。
【００８３】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８４】
実施の形態では、反射面を半半球状のドーム形状としたが、凹状の反射面であれば、他の形状であってもかまわない。また、反射面は全体として凹状をなしていればよく、細部では凹凸があってもかまわない。たとえば、アルミホイルや銀紙をくしゃくしゃにした際に生じるような不規則なしわや凹凸のある反射面であってもよい。
【００８５】
実施の形態では、反射面３２に透光部３８を設け、反射面３２の背後から透光部３８を臨むように発光素子６３を配置したが、反射面３２の内側に発光素子６３を設けてもよいし、反射面３２に直接、発光素子６３を取り付けてもよい。
【００８６】
なお、実施の形態では、センターケース１５に光装飾装置３０を取り付けてあるので、遊技盤１１に打ち出された球がセンターケース１５に当たるとその衝撃が装飾体４０の透過部材４１に伝わり、透過部材４１が微妙に動いて「キラキラ」と輝く。
【００８７】
このほか、実施の形態では、第１光源部５０の配線基板５１、第２光源部６０の配線基板６２を固定し、発光素子５２や発光素子６３が特定方向に光を照射するように構成したが、発光素子の取り付け基板や反射面３２、装飾体４０の角度や位置を変更可能にし、光の進行方向や交差角度、反射、屈折、分光の状況が変化するように構成してもよい。上記の変更は、たとえば電動で行なわれる。また、上記の変更を常に行なってもよいし、可変表示遊技の進行状況や遊技客が遊技機１０の前に居る／居ないなど各種の条件に応じて角度や位置が変化するように構成してもよい。
【００８８】
実施の形態では、光源としてＬＥＤを使用したが、他の種類の光源を使用してもかまわない。また、遊技機１０の遊技盤１１のセンターケース１５に光装飾装置３０を取り付けたが、遊技機１０の前面であれば、遊技機枠や前面パネルなど他の箇所に光装飾装置３０を取り付けてもよい。また光装飾装置３０の大きさは例示したものに限らない。たとえば、例示したものより小さな光装飾装置を複数取り付けてもよい。
【００８９】
また、実施の形態では、２つの光束を交差させたが、３つ以上の光束を交差させてもよい。また、交差の角度は９０度に限定されず、適宜でよい。さらに、光束の指向性の強さや光束の径は任意に設定すればよく、たとえば、交差させる一方の光束の指向性を弱いものにして、光の空間を形成し、他方の光束の指向性を強くし光束の径を小さくすれば、スポット的な交差領域が形成される。
【００９０】
実施の形態では、パチンコ機に光装飾装置３０を取り付けた例を説明したが、スロットマシンなど他の種類の遊技機に備えてもよい。
【図面の簡単な説明】
【００９１】
【図１】本発明の実施の形態に係わる遊技機を示す正面図である。
【図２】本発明の実施の形態に係わる光装飾装置を示す分解斜視図である。
【図３】反射ドーム部を示す正面図である。
【図４】反射ドーム部の反射面で囲まれた空間内における光の状態を模式的に示す説明図である。
【図５】図４のＡ−Ａ断面における光の状態を模式的に示す説明図である。
【図６】図４の第１基板における発光素子の配列例を示す説明図である。
【図７】反射ドーム部の反射面が囲む空間の中に透過部材を配置した際の光の状態を示す説明図である。
【図８】第１基板の発光素子からの光束と第２基板の発光素子からの光束とが交差している状況を側方から見た様子を簡略化して示す説明図である。
【図９】第１基板の発光素子からの光束と第２基板の発光素子からの光束とが交差している状況を第２基板の前方から見た様子を簡略化して示す説明図である。
【図１０】光源の他の配置例（光束の交差角度が９０度以下の場合）を示す説明図である。
【図１１】光源の他の配置例（同一基板に光源を取り付けた場合）を示す説明図である。
【符号の説明】
【００９２】
１０ａ…遊技機本体
１１…遊技盤
１２…上受け皿
１３…下受け皿
１４…ハンドル
１５…センターケース
１６…始動口
１７…大入賞口
１８…普通図柄作動ゲート
１９…装飾ランプ
２０…可変表示装置
２１…普通図柄表示装置
２２…アウト口
３０…光装飾装置
３１…反射ドーム部
３２…反射面
３３…小さな反射面
３４、３５…円弧状端面
３６…取り付け穴
３７…受け部
３８…透光部
４０…装飾体
４１…透過部材
４２…フレーム
４３…接合部
５０…第１光源部
５１…配線基板
５２…発光素子
５２ａ…青色ＬＥＤ
５２ｂ…緑色ＬＥＤ
５２ｃ…赤色ＬＥＤ
５３…コネクタ
５５…第１光束
６０…第２光源部
６１…枠
６２…配線基板
６３…発光素子
６４…コネクタ
６５…第２光束
６６…交差領域
７１…直接光
７２…乱反射された光の空間
７５…透過部材
８１…第１光源
８２…第１光源の光束
８３…第２光源
８４…第２光源の光束
【図１】
2006043041.tif 000003
【図２】
2006043041.tif 000004
【図３】
2006043041.tif 000005
【図４】
2006043041.tif 000006
【図５】
2006043041.tif 000007
【図６】
2006043041.tif 000008
【図７】
2006043041.tif 000009
【図８】
2006043041.tif 000010
【図９】
2006043041.tif 000011
【図１０】
2006043041.tif 000012
【図１１】
2006043041.tif 000013